(57)【要約】【課題】電子メール作成時に宛先をアドレス帳から指定するだけで、それに連携して自動的に宛先専用の辞書が使用できるようにすることにある。【解決手段】携帯端末１は、複数の辞書を含む選択辞書２０を備え、それぞれの辞書を識別する辞書識別情報を電子メールの宛先にリンクさせてアドレス帳１３に登録する手段と、電子メール作成時にアドレス帳１３から宛先が選択されると、選択された宛先とリンクした辞書識別情報に対応する辞書に切り換える手段とを有している。【選択図】      図１
2005107565.tif 000002
【特許請求の範囲】
【請求項１】
基本辞書と併用して選択辞書を用いて日本語変換を行う辞書自動切換機能付き携帯端末であって、
電子メール作成時に使用する前記選択辞書の識別を示す辞書識別情報をそれぞれの宛先ごとに含むアドレス帳と、
複数の前記辞書識別情報に対応する選択辞書と、を備え、
電子メール作成時に前記アドレス帳から宛先が選択されるとその選択された宛先とリンクした前記辞書識別情報に対応した選択辞書に切り換える切り換え手段を有することを特徴とする辞書自動切換機能付き携帯端末。
【請求項２】
基本辞書と併用して選択辞書を用いて日本語変換を行う辞書自動切換機能付き携帯端末であって、
複数の前記選択辞書を格納できる記憶部を備え、
それぞれの前記選択辞書を識別する辞書識別情報を電子メールの宛先にリンクさせてアドレス帳に登録する登録手段と、
電子メール作成時に前記アドレス帳から宛先が選択されると、前記選択された宛先とリンクした前記辞書識別情報に対応する選択辞書が前記記憶部に格納されていなくてかつ前記リンクした辞書識別番号に対応する選択辞書を前記記憶部に格納する余裕があればネットワークから前記リンクした辞書識別情報に対応する選択辞書を取得し前記記憶部に格納する格納手段と、
前記格納手段で取得した選択辞書に切り換える切り換え手段と、を有することを特徴とする辞書自動切換機能付き携帯端末。
【請求項３】
前記格納手段は、前記リンクした前記辞書識別情報に対応する選択辞書が前記記憶部に格納されていなくても前記リンクした辞書識別番号に対応する辞書を前記記憶部に格納する余裕がなければ、前記記憶部に格納されている前記ネットワークから取得済みの辞書の中からキー部から削除する選択辞書を選択させその選択された選択辞書を前記記憶部から削除する手段と、
削除後に前記ネットワークから前記リンクした辞書識別情報に対応する選択辞書を取得して前記億部に格納する手段と、を有することを特徴とする請求項２記載の辞書自動切換機能付き携帯端末。
【請求項４】
前記記憶部は、内蔵のメモリまたは／および増設のメモリであることを特徴とする請求項２または３記載の辞書自動切換機能付き携帯端末。
【請求項５】
前記選択辞書は、各種専門領域の辞書、各種趣味領域の辞書、各種方言辞書の内、少なくとも１つ以上の辞書を含むことを特徴とする請求項１，２，または３記載の辞書自動切換機能付き携帯端末。
【請求項６】
基本辞書と併用して選択辞書を用いて日本語変換を行う携帯端末での辞書自動切換方法であって、
あらかじめ複数の前記選択辞書を記憶部に格納しておき、
それぞれの前記選択辞書を識別する辞書識別情報を電子メールの宛先にリンクさせてアドレス帳に登録するステップと、
前記電子メール作成時に前記アドレス帳から宛先が選択されると、前記選択された宛先とリンクした前記辞書識別情報に対応する選択辞書に切り換えるステップと、を含むことを特徴とする携帯端末での辞書自動切換方法。
【請求項７】
基本辞書と併用して選択辞書を用いて日本語変換を行う携帯端末での辞書自動切換方法であって、
複数の前記選択辞書を格納できる記憶部を準備し、
それぞれの前記選択辞書を識別する辞書識別情報を電子メールの宛先にリンクさせてアドレス帳に登録するステップと、
前記電子メール作成時に前記アドレス帳から宛先が選択された場合に、前記選択された宛先とリンクした前記辞書識別情報に対応する選択辞書が前記記憶部に格納されていなくてかつ前記リンクした辞書識別情報に対応する選択辞書を前記記憶部に格納する余裕があればネットワークから前記リンクした辞書識別情報に対応する選択辞書を取得し前記記憶部に格納するステップと、
前記格納した選択辞書に切り換えるステップと、を含むことを特徴とする携帯端末での辞書自動切換方法。
【請求項８】
前記電子メール作成時に前記アドレス帳から宛先が選択された場合に、前記選択された宛先とリンクした前記辞書識別情報に対応する選択辞書が前記記憶部に格納されていなくても前記リンクした辞書識別番号に対応する選択辞書を前記記憶部に格納する余裕がなければ、前記記憶部に格納されている前記ネットワークから取得済みの選択辞書の中からキー部から削除する選択辞書を選択させその選択された選択辞書を前記記憶部から削除するステップと、
削除後に前記ネットワークから前記リンクした辞書識別情報に対応する選択辞書を取得し前記記憶部に格納するステップと、を含むことを特徴とする請求項７記載の携帯端末での辞書自動切換方法。
【請求項９】
前記記憶部は、内蔵のメモリまたは／および増設のメモリであることを特徴とする請求項６，７，または８記載の宛先による辞書自動切換機能付き携帯端末。
【請求項１０】
前記選択辞書は、各種専門領域の辞書、各種趣味領域の辞書、各種方言辞書の内、少なくとも１つ以上の辞書を含むことを特徴とする請求項６，７，または８記載の携帯端末での辞書自動切換方法。
【請求項１１】
あらかじめ複数の前記選択辞書を記憶部に格納しているコンピュータに、
それぞれの前記選択辞書を識別する辞書識別情報を電子メールの宛先にリンクさせてアドレス帳に登録するステップと、
前記電子メール作成時に前記アドレス帳から宛先が選択されると、前記選択された宛先とリンクした前記辞書識別情報に対応する選択辞書に切り換えるステップと、を含む処理を実行させる辞書選択プログラム。
【請求項１２】
複数の前記選択辞書を格納できる記憶部を有するコンピュータに、
それぞれの前記選択辞書を識別する辞書識別情報を電子メールの宛先にリンクさせてアドレス帳に登録するステップと、
前記電子メール作成時に前記アドレス帳から宛先が選択された場合に、前記選択された宛先とリンクした前記辞書識別情報に対応する選択辞書が前記記憶部に格納されていなくてかつ前記リンクした辞書識別情報に対応する選択辞書を前記記憶部に格納する余裕があればネットワークから前記リンクした辞書識別情報に対応する選択辞書を取得し前記記憶部に格納するステップと、
前記格納した選択辞書に切り換えるステップと、を含む処理を実行させる辞書選択プログラム。
【請求項１３】
前記電子メール作成時に前記アドレス帳から宛先が選択された場合に、前記選択された宛先とリンクした前記辞書識別情報に対応する選択辞書が前記記憶部に格納されていなくても前記リンクした辞書識別番号に対応する選択辞書を前記記憶部に格納する余裕がなければ、前記記憶部に格納されている前記ネットワークから取得済みの辞書の中からキー部から削除する選択辞書を選択させその選択された選択辞書を前記記憶部から削除するステップと、
削除後に前記ネットワークから前記リンクした辞書識別情報に対応する選択辞書を取得し前記記憶部に格納するステップと、を含む処理を前記コンピュータに実行させる請求項１２記載の辞書選択プログラム。
【請求項１４】
前記記憶部は、内蔵のメモリまたは／および増設のメモリであることを特徴とする請求項１１，１２，または１３記載の辞書選択プログラム。
【請求項１５】
前記選択辞書は、各種専門領域の辞書、各種趣味領域の辞書、各種方言辞書の内、少なくとも１つ以上の辞書を含むことを特徴とする請求項１１，１２，または１３記載の辞書選択プログラム。
【発明の詳細な説明】
【技術分野】
【０００１】
本発明は、辞書自動切換機能付き携帯端末、携帯端末での辞書自動切換方法、および辞書選択プログラムに関し、特に、電子メール作成時に電子メールの宛先に対応した辞書を利用するための辞書自動切換機能付き携帯端末、携帯端末での辞書自動切換方法、および辞書選択プログラムに関する。
【背景技術】
【０００２】
従来の携帯端末においては、その容量の制限により基本辞書の内容は限られていたため、この解決方法として、例えば、特開２００３−１１５９４２号公報に開示されている。この特開２００３−１１５９４２号公報には、携帯端末に装着のできるメモリカードを準備し、そのメモリカードまたは携帯端末内蔵のメモリに必要とする辞書をダウンロードする技術が記載されている。
【０００３】
また、メール作成時に各種辞書を使用する方法として、例えば、特開２００１−３０９０４９号公報に開示されている。この特開２００１−３０９０４９号公報には、メール作成装置にメールを作成してもらうためにメール作成時に使用する辞書を選択してメール作成装置に通知後に携帯電話機のマイクから作成すべきメールに対応した音声を入力することによりメール作成装置内でメールを作成する技術が記載されている。
【０００４】
【特許文献１】特開２００３−１１５９４２号公報
【特許文献２】特開２００１−３０９０４９号公報（段落番号００３４，００４３〜００４８）
【発明の開示】
【発明が解決しようとする課題】
【０００５】
しかしながら、上記の特開２００３−１１５９４２号公報においては、使用するにあたって、これらの辞書を有効にするには、例えば辞書選択設定画面において使用する辞書を指定する必要があり、電子メールのように送信相手により分野、趣味・話題、または方言の異なる相手とのやりとりが発生するシチュエーションにおいては、辞書選択という操作が非常に煩雑に発生するという問題点がある。
【０００６】
また、上記の特開２００３−１１５９４２号公報においては、電子メール作成時に辞書選択を忘れ、一度電子メール作成を終了して辞書選択を行うという操作の後戻りが発生するという問題点がある。
【０００７】
また、上記の特開２００１−３０９０４９号公報においては、特開２００３−１１５９４２号公報と同じように、使用するにあたって、これらの辞書を有効にするには、例えば辞書選択設定画面において使用する辞書を指定する必要があり、電子メールのように相手により分野、趣味・話題、または方言の異なる相手とのやりとりが発生するシチュエーションにおいては、辞書選択という操作が非常に煩雑に発生するという問題点がある。
【０００８】
また、上記の特開２００１−３０９０４９号公報においては、特定の辞書を利用したメール作成するためには、電子メール作成装置に接続して電子メールを作成しなければならないという問題点がある。
【０００９】
本発明の目的は、電子メール作成において宛先をアドレス帳から指定するだけで、それに連携して自動的に宛先専用の辞書に切り換えてくれる機能を提供することにある。
【課題を解決するための手段】
【００１０】
上記目的を達成するために、本発明の第１の辞書自動切換機能付き携帯端末は、基本辞書と併用して選択辞書を用いて日本語変換を行う辞書自動切換機能付き携帯端末であって、電子メール作成時に使用する前記選択辞書の識別を示す辞書識別情報をそれぞれの宛先ごとに含むアドレス帳と、複数の前記辞書識別情報に対応する選択辞書と、を備え、電子メール作成時に前記アドレス帳から宛先が選択されるとその選択された宛先とリンクした前記辞書識別情報に対応した選択辞書に切り換える切り換え手段を有することを特徴としている。
【００１１】
また、本発明の第２の辞書自動切換機能付き携帯端末は、基本辞書と併用して選択辞書を用いて日本語変換を行う辞書自動切換機能付き携帯端末であって、複数の前記選択辞書を格納できる記憶部を備え、それぞれの前記選択辞書を識別する辞書識別情報を電子メールの宛先にリンクさせてアドレス帳に登録する登録手段と、電子メール作成時に前記アドレス帳から宛先が選択されると、前記選択された宛先とリンクした前記辞書識別情報に対応する選択辞書が前記記憶部に格納されていなくてかつ前記リンクした辞書識別番号に対応する選択辞書を前記記憶部に格納する余裕があればネットワークから前記リンクした辞書識別情報に対応する選択辞書を取得し前記記憶部に格納する格納手段と、前記格納手段で取得した選択辞書に切り換える切り換え手段と、を有することを特徴としている。
【００１２】
更に、上記の第２の辞書自動切換機能付き携帯端末において、前記格納手段は、前記リンクした前記辞書識別情報に対応する選択辞書が前記記憶部に格納されていなくても前記リンクした辞書識別番号に対応する辞書を前記記憶部に格納する余裕がなければ、前記記憶部に格納されている前記ネットワークから取得済みの辞書の中からキー部から削除する選択辞書を選択させその選択された選択辞書を前記記憶部から削除する手段と、削除後に前記ネットワークから前記リンクした辞書識別情報に対応する選択辞書を取得して前記億部に格納する手段と、を有することを特徴としている。
【００１３】
更に、上記の第１または第２の辞書自動切換機能付き携帯端末において、前記記憶部は、内蔵のメモリまたは／および増設のメモリであることを特徴としている。
【００１４】
更に、上記の第１または第２の辞書自動切換機能付き携帯端末において、前記選択辞書は、各種専門領域の辞書、各種趣味領域の辞書、各種方言辞書の内、少なくとも１つ以上の辞書を含むことを特徴としている。
【００１５】
また、本発明の第１の携帯端末での辞書自動切換方法は、基本辞書と併用して選択辞書を用いて日本語変換を行う携帯端末での辞書自動切換方法であって、あらかじめ複数の前記選択辞書を記憶部に格納しておき、それぞれの前記選択辞書を識別する辞書識別情報を電子メールの宛先にリンクさせてアドレス帳に登録するステップと、前記電子メール作成時に前記アドレス帳から宛先が選択されると、前記選択された宛先とリンクした前記辞書識別情報に対応する選択辞書に切り換えるステップと、を含むことを特徴としている。
【００１６】
また、本発明の第２の携帯端末での辞書自動切換方法は、基本辞書と併用して選択辞書を用いて日本語変換を行う携帯端末での辞書自動切換方法であって、複数の前記選択辞書を格納できる記憶部を準備し、それぞれの前記選択辞書を識別する辞書識別情報を電子メールの宛先にリンクさせてアドレス帳に登録するステップと、前記電子メール作成時に前記アドレス帳から宛先が選択された場合に、前記選択された宛先とリンクした前記辞書識別情報に対応する選択辞書が前記記憶部に格納されていなくてかつ前記リンクした辞書識別情報に対応する選択辞書を前記記憶部に格納する余裕があればネットワークから前記リンクした辞書識別情報に対応する選択辞書を取得し前記記憶部に格納するステップと、前記格納した選択辞書に切り換えるステップと、を含むことを特徴としている。
【００１７】
更に、上記の第２の携帯端末での辞書自動切換方法において、前記電子メール作成時に前記アドレス帳から宛先が選択された場合に、前記選択された宛先とリンクした前記辞書識別情報に対応する選択辞書が前記記憶部に格納されていなくても前記リンクした辞書識別番号に対応する選択辞書を前記記憶部に格納する余裕がなければ、前記記憶部に格納されている前記ネットワークから取得済みの選択辞書の中からキー部から削除する選択辞書を選択させその選択された選択辞書を前記記憶部から削除するステップと、削除後に前記ネットワークから前記リンクした辞書識別情報に対応する選択辞書を取得し前記記憶部に格納するステップと、を含むことを特徴としている。
【００１８】
更に、上記の第１または第２の携帯端末での辞書自動切換方法において、前記記憶部は、内蔵のメモリまたは／および増設のメモリであることを特徴としている。
【００１９】
更に、上記の第１または第２の携帯端末での辞書自動切換方法において、前記選択辞書は、各種専門領域の辞書、各種趣味領域の辞書、各種方言辞書の内、少なくとも１つ以上の辞書を含むことを特徴としている。
【００２０】
また、本発明の第１の辞書選択プログラムは、あらかじめ複数の前記選択辞書を記憶部に格納しているコンピュータに、それぞれの前記選択辞書を識別する辞書識別情報を電子メールの宛先にリンクさせてアドレス帳に登録するステップと、前記電子メール作成時に前記アドレス帳から宛先が選択されると、前記選択された宛先とリンクした前記辞書識別情報に対応する選択辞書に切り換えるステップと、を含む処理を実行させる。
【００２１】
また、本発明の第２の辞書選択プログラムは、複数の前記選択辞書を格納できる記憶部を有するコンピュータに、それぞれの前記選択辞書を識別する辞書識別情報を電子メールの宛先にリンクさせてアドレス帳に登録するステップと、前記電子メール作成時に前記アドレス帳から宛先が選択された場合に、前記選択された宛先とリンクした前記辞書識別情報に対応する選択辞書が前記記憶部に格納されていなくてかつ前記リンクした辞書識別情報に対応する選択辞書を前記記憶部に格納する余裕があればネットワークから前記リンクした辞書識別情報に対応する選択辞書を取得し前記記憶部に格納するステップと、前記格納した選択辞書に切り換えるステップと、を含む処理を実行させる。
【００２２】
更に、上記の第２の辞書選択プログラムにおいて、前記電子メール作成時に前記アドレス帳から宛先が選択された場合に、前記選択された宛先とリンクした前記辞書識別情報に対応する選択辞書が前記記憶部に格納されていなくても前記リンクした辞書識別番号に対応する選択辞書を前記記憶部に格納する余裕がなければ、前記記憶部に格納されている前記ネットワークから取得済みの辞書の中からキー部から削除する選択辞書を選択させその選択された選択辞書を前記記憶部から削除するステップと、削除後に前記ネットワークから前記リンクした辞書識別情報に対応する選択辞書を取得し前記記憶部に格納するステップと、を含む処理を前記コンピュータに実行させる。
【００２３】
更に、上記の第１または第２の辞書選択プログラムにおいて、前記記憶部は、内蔵のメモリまたは／および増設のメモリであることを特徴としている。
【００２４】
更に、上記の第１または第２の辞書選択プログラムにおいて、前記選択辞書は、各種専門領域の辞書、各種趣味領域の辞書、各種方言辞書の内、少なくとも１つ以上の辞書を含むことを特徴としている。
【発明の効果】
【００２５】
本発明は、電子メール作成時に前記アドレス帳から宛先が選択されると前記宛先メールアドレスとリンクした前記辞書識別情報に対応した辞書に切り換えるようにしているため、宛先ごとに最適の辞書を設定できるという効果がある。
【００２６】
第２の効果は、その宛先ごとの辞書の切り換えが、宛先を選択するという操作により自動的に行われることである。
【発明を実施するための最良の形態】
【００２７】
次に、本発明を実施するための第１の最良の形態について図面を参照して詳細に説明する。
【００２８】
図１を参照すると、本発明の第１の実施の形態における宛先による辞書自動切換機能つき電子メール可能な携帯端末１内部の構成を示すブロック図であって、この携帯端末１は、携帯端末１のすべての処理と本発明の選択した宛先に合わせて選択辞書を自動的に切り換える処理をプログラムに従って実行するプロセッサであるプロセッサ１１と、本発明処理および本携帯端末１のその他全ての処理を含む各種プログラムを格納しているプログラム格納部１２と、本発明の特徴を有するアドレス帳１３と、基本辞書１９と、選択辞書２０と、選択辞書管理表２１と、携帯電話としての音声発着信およびインターネット機能を司る回線接続部１４と、ユーザが入力するためのキー部１６と、キー部１６のキー処理を行なうキーイベント処理部１５と、キー部１６から入力されたキーによる操作で指定された本発明を含む携帯端末の機能または日本語変換結果を表示する処理を行なう画像表示回路１７と、実際に映像を映し出す画像表示部１８とを有する。なお、携帯端末１は、ネットワーク９０１を介して他装置との通信を行う。
【００２９】
図２を参照すると、選択辞書管理表２１の内部の構成を示しており、図示していないメモリ（例えば、ＲＡＭ：プログラム処理に必要な作業領域としても使用される）に割り当てられている。この選択辞書管理表２１には、辞書ごとに、辞書の識別番号を示す辞書識別番号のエリアと、辞書名を示す辞書名のエリアと、辞書を有効にして日本語変換時に候補を出す状態にする有効指定のエリアとが割り当てられている。
【００３０】
図１の基本辞書１９は、図示していない不揮発性のメモリ（例えば、ＲＯＭ）内に格納されている。基本辞書１９は、日本語変換で基本となる日本語変換辞書を含んでおり、電子メール作成時には、選択辞書の有無に関係なく、ベースとなる日本語変換辞書として必ず使用される。
【００３１】
図１の選択辞書２０は、図示していない不揮発性のメモリ内に格納されている。この場合、選択辞書２０は、標準の不揮発性メモリ（例えば、フラッシュメモリ）に内蔵されても良いし、選択辞書２０をあらかじめ格納した拡張メモリ（メモリカード）を携帯端末１に追加する形でも良いし、ネットワークサービス９０１を通じて標準のメモリ（ＲＡＭ、フラッシュメモリ等）または／および追加できる拡張メモリ（メモリカード）にダウンロードされる形で提供されても良い。この選択辞書２０には、選択辞書管理表２１に示される辞書識別番号に対応したそれぞれの選択辞書（以降、複数の選択辞書からなる選択辞書２０と区別するために、選択辞書をただ単に辞書と呼ぶ場合がある）、すなわち、複数の専門領域の辞書（医療辞書、経済辞書、スポーツ辞書、・・・）、趣味領域の辞書（競馬辞書、ファッション辞書、・・・）、方言辞書（関西弁辞書、九州弁辞書、・・・）が含まれており、選択辞書管理表２１内で有効指定のエリアが「ＯＮ」になった辞書だけが、基本辞書１９と共に電子メール作成時に使用される。
【００３２】
図１のプログラム格納部１２は、図示していない不揮発性メモリ（例えば、ＲＯＭ、書き込み可能なフラッシュメモリ等）内に割り当てられており、辞書選択プログラムを含む各種プログラムを格納している。なお、辞書選択プログラムは、製造出荷時にＲＯＭに書き込んでおいても良いし、図示していないインタフェースを介して他の装置（ＦＤＤ装置、ＣＤ−Ｒ装置、パソコン等の周辺装置）から再書き込みのできる不揮発性メモリにインストールしても良いし、ネットワーク９０１を介して他の装置（例えば、通信事業者が管理しているサーバ）から再書き込みのできる不揮発性メモリにダウンロードするようにしても良い。
【００３３】
図３を参照すると、図１のアドレス帳１３内の構成を示した構成図であって、このアドレス帳１３は、図示していない不揮発性の記憶部（例えば、フラッシュメモリ）内に割り当てられている。アドレス帳１３には、登録した名前ごとに、名前に割り当てられた項番と、その名前と、宛先の電子メールアドレスと、その名前、電子メールアドレスとリンクして使用する選択辞書の辞書識別番号を登録しておくリンク選択辞書識別番号との各エリアが割り当てられている。この場合のリンクしたい選択辞書の辞書識別番号は、アドレス帳１３に複数登録可能である。なお、本構成図では省略しているが、携帯端末１が電話機能も有する場合には電話番号の登録もできるものとする。
【００３４】
プロセッサ１１は、プログラム格納部１２に格納されているプログラムに従って実行しているが、ユーザがキー部１６を使って操作する（キー入力する）と、キーイベント処理部１５がキーイベントをプロセッサ１１に通知する。この場合、それが画像表示部１８のメニュー画面上での電子メール作成における宛先選択の処理であった場合、プロセッサ１１は、本発明の電子メール作成機能の宛先指定処理（辞書選択プログラムの実行）を行う。すなわち、キー部１６のキー操作によりアドレス帳１３の任意の名前が選択されると、プロセッサ１１は、アドレス帳１３内で選択された名前に該当する電子メールアドレスを抽出しその抽出した電子メールアドレスを宛先として設定すると共に、その名前および電子メールアドレスとリンク指定している選択辞書の辞書識別番号がアドレス帳１３内の選択された名前に該当するリンク選択辞書識別番号のエリアに登録されている場合には、リンク選択辞書識別のエリアから辞書識別番号を抽出し、選択辞書管理表２１内で先ほど抽出した辞書識別番号に該当する有効指定のエリアを「ＯＮ」に設定する。これをアドレス帳１３内でキー操作により選択された名前に該当するリンク選択辞書識別番号のエリアに登録されている数だけ行う。なお、アドレス帳１３から電子メールアドレスを選択するために、宛先として名前を選択しているが、直接電子メールアドレスを選択しても良い。従って、本発明における宛先とは、電子メールの宛先となる名前でもあり、電子メールの宛先のメールアドレスでもある。
【００３５】
本発明の処理により、電子メール本文を作成するために日本語変換を使用する際、ユーザは選択辞書の選択指定をするという操作をすることなく、基本辞書１９に併用して使用する辞書として選択した宛先に合った選択辞書に自動切換された状態で日本語変換を行うことができるため、ユーザが文字入力して日本語変換を行った場合に、プロセッサ１１が有効になった選択辞書２０内のある辞書に関連する用語であれば、その選択辞書２０に従った変換文字を変換候補として画像表示部１８に表示することになる。
【００３６】
なお、図１において、プログラム格納部１２に含まれるプログラムによって動作およびその周辺のハードウェアの構成の部分を除く、それ以外の携帯端末１内のプログラム動作、およびハードウェアの構成に関しては、周知の技術であるので省略された構成になっている。
【００３７】
次に、本発明を実施するための第１の最良の形態の動作について図面を参照して説明する。すなわち、図１、図２、図３および図４のフローチャートを参照して、宛先による辞書自動切換を行う機能を提供する動作につき詳細に説明する。
【００３８】
事前に選択辞書２０には必要な辞書が標準内蔵またはメモリ増設またはダウンロード取得により格納されている。
【００３９】
あらかじめ、ユーザは、アドレス帳に宛先の電子メールアドレスと併用して使用したい選択辞書の選択辞書識別番号を設定しておく。この場合複数の登録が可能である。この場合のアドレス帳への選択識別番号の登録方法について以下に示す。
【００４０】
今、キー部１６上のアドレス帳メニューボタンが押下され、「アドレス帳登録」を含むアドレス帳メニュー画面がプロセッサ１１により表示されているとする。ユーザがキー部１６のキー操作によりアドレス帳メニュー画面から「アドレス帳登録」を選択すると、プロセッサ１１は、例えば、「名前」、「宛先電子メールアドレス」、「辞書選択」、「電話番号」を順に登録させるようにその登録を促す画面を順に表示していくことになる。その「辞書選択」を促す画面では、プロセッサ１１は、まず辞書一覧（医療辞書、経済辞書、スポーツ辞書、・・・の各種辞書およびそれぞれの辞書に対応した辞書識別番号）を図示していないメモリ（例えば、あらかじめフラッシュメモリに格納されている）から読み出して辞書の選択を促す（この場合複数の選択が可）辞書選択画面を表示する。各種辞書が選択されると、選択された辞書に該当する辞書識別番号をアドレス帳１３に登録する。なお、既に名前、電子メールアドレスが登録されているアドレス帳１３の場合には、プロセッサ１１は、ユーザの画面操作により「辞書選択」を含むメニュー画面から辞書選択画面を表示し、辞書一覧から使用したい辞書を選択させることで直接辞書識別番号をアドレス帳１３に登録することができる。
【００４１】
このようにして、アドレス帳１３には、名前と電子メールアドレスおよび電子メールアドレスとリンクして使用したい選択辞書識別番号がそれぞれ登録されていることになる。
【００４２】
次に本携帯端末１のキー部１６によるユーザのメール作成開始の操作により電子メール作成機能が呼び出され、宛先指定の機能の処理（辞書選択プログラムの実行）が行われる動作につき説明する。
【００４３】
プログラム格納部１２に格納されているプログラムに従って動作するプロセッサ１１は、電子メール作成機能の宛先指定処理において、アドレス帳１３から宛先として名前が選択されたかどうか確認する（図４のステップＳ４０１）。
【００４４】
ステップＳ４０１において、選択されている場合には、プロセッサ１１は、アドレス帳１３内において宛先として選択された名前とリンクしている選択辞書の辞書識別番号がリンク選択辞書識別番号のエリアに登録されているかを確認する（ステップＳ４０２）。
【００４５】
ステップＳ４０２おいて、登録されている場合には、プロセッサ１１は、以下の選択辞書を切り換える処理（ステップＳ４０３〜Ｓ４０９）を行う。この場合、プロセッサ１１は、選択辞書を切り換える処理を行う場合に、プログラム上で、プロセッサ１１内に保持しているいくつかの図示していないワークレジスタの内、選択している宛先にリンクした選択辞書の数を示す「ＮｕｍＳｅｌＤＩＣ」としてあるワークレジスタに割り当て、選択辞書をセットするときに使用の数（カウンタ）を示す「ｍ」としてあるレジスタに割り当ているものとする。
【００４６】
まずプロセッサ１１は、アドレス帳１３内において選択された名前（この場合の選択された名前とは選択された宛先に該当する。以降この説明を略する）とリンクしている選択辞書の数を取り出して「ＮｕｍＳｅｌＤＩＣ」に設定する（ステップＳ４０３）。
【００４７】
次にプロセッサ１１は、選択辞書管理表２１の既存の有効指定のエリアに設定されている「ＯＮ」を全てクリア（または「ＯＦＦ」に設定）し（ステップＳ４０４）、更にアドレス帳１３のリンク選択辞書３０３に登録されている選択辞書数だけ設定するためのカウンタを初期化（ｍ＝１）する（ステップＳ４０５）。
【００４８】
次にプロセッサ１１は、アドレス帳１３のリンク選択辞書識別番号のエリアに登録されているｍ番目の選択辞書識別番号を抽出し（取り出し）（ステップS４０６）、その抽出した選択辞書識別番号と選択辞書管理表２１内の辞書識別番号とを比較し、合致する辞書識別番号に該当する有効指定のエリアを「ＯＮ」にセットする（ステップS４０７）。
【００４９】
次にプロセッサ１１は、次の選択辞書識別番号をリンク選択辞書識別番号のエリアから抽出するために変数「ｍ」を＋１カウントアップし（ステップ４０８）、リンク選択辞書識別番号のエリアにまだ未設定の選択辞書識別番号があるかどうかを変数「ＮｕｍＳｅｌＤＩＣ」と比較して確認し（ステップS４０９）、選択された宛先とリンクした辞書がまだある場合にはステップＳ４０６に戻り、ステップＳ４０９までを繰り返す。このようにして、プロセッサ１１は、選択された名前に該当するリンク選択辞書識別番号のエリアに登録されている選択辞書識別番号すべての設定が完了している場合には、本処理を終了し、電子メール本文編集画面を表示する。
【００５０】
この処理の後に、ユーザが電子メールの本文編集画面にてキー部１６から文字を入力して日本語変換機能を用いると、プロセッサ１１は、指定した宛先に合わせて自動的に切り換えられた選択辞書が有効になっており、すなわち、基本辞書１９と併用して使用する選択辞書２０としては選択辞書管理表２１内で有効指定のエリアが「ＯＮ」になっている辞書識別番号に該当する選択辞書２０内の辞書を使用することにより、入力した文字を日本語変換し、変換候補として画像機億部１８に表示する。
【００５１】
次に、本発明を実施するための第２の最良の形態について図面を参照して詳細に説明する。
【００５２】
図６を参照すると、本発明の第２の実施の形態における携帯端末１は、第１の実施の形態の携帯端末１と比較すると、ダウンロード辞書登録管理表２２を追加した点と、プログラム格納部１２に格納した辞書選択プログラムを実行した場合のプロセッサ１１の動作が違う点とで相違する。
【００５３】
すなわち、第１の実施の形態では、事前に選択辞書２０には必要な辞書が標準内蔵またはメモリ増設またはダウンロード取得により格納されているとしたが、第２の実施の形態は、選択辞書の取得手段がネットワーク９０１からのダウンロードであり、携帯端末の容量の制限により必要とされる選択辞書が必ずしも携帯端末に登録されていない場合に必要に応じて選択辞書をダウンロードしてくる点で相違する。
【００５４】
また、図５において、各種選択辞書を保存しておりその各種選択辞書のダウンロードのサービスを図示していない管理センター（例えば、携帯多端末１を使用するユーザと契約している無線事業者の管理サーバ）が、ネットワーク９０１に接続されており、携帯端末１は、選択辞書のダウンロード要求が発生した場合に、管理センターに接続して、必要とする選択辞書を取得する。
【００５５】
図５のダウンロード辞書登録管理表５０１は、図示していないメモリ（例えば、ＲＡＭ）内に割り当てられており、このダウンロード辞書登録管理表５０１は、ダウンロードできる辞書の識別番号である辞書識別番号のエリアと、その辞書の名前を示すダウンロード辞書名のエリアと、その辞書が携帯端末１内に登録（ダウンロード）されているかどうかを示すダウンロード辞書格納済みマークのエリアとで構成される。選択辞書管理表２１の有効指定は、ダウンロード辞書登録管理表２２内のダウンロード辞書格納済みマークのエリアがマークされていない、つまり、ダウンロードにより携帯端末に格納されていない場合でも「ＯＮ」の設定を可能とする。
【００５６】
次に、本発明を実施するための第２の最良の形態の動作について図面を参照して説明する。
【００５７】
今、携帯端末１の画像表示部１８には、画像表示部１８の待ち画面からキー部１６上のメニューボタンが押下され、「電子メール作成」を含むメニュー画面がプロセッサ１１により表示されているとする。ユーザがキー部１６のキー操作によりメニュー画面から「電子メール作成」を選択すると、プロセッサ１１は、第１の実施の形態と同じように画像表示部１８に表示された宛先指定画面に従ってユーザにキー部１６による画面操作によりアドレス帳１３から宛先を選択させる。この宛先を選択することによりプロセッサ１１は、辞書選択プログラムを実行する。
【００５８】
まずプロセッサ１１は、第１の実施の形態で説明した図４のステップＳ４０１〜ステップＳ４０７と同じ動作を行う（図７のステップＳ４０１〜ステップＳ４０７）。すなわち、指定した宛先がアドレス帳１３の名前に存在し、その名前とリンクしている選択辞書識別番号がアドレス帳１３内のリンク選択辞書識別番号のエリアに登録されていた場合に、プロセッサ１１は、選択辞書管理表２１内でその登録されたリンク選択辞書識別番号に該当する有効指定のエリアに「ＯＮ」を設定する。
【００５９】
次にプロセッサ１１は、ダウンロード取得処理に移る（ステップＳ５００）。この場合のダウンロード取得処理の動作として、図８のフローチャートに示す。
【００６０】
今、その選択された辞書がダウンロード辞書登録管理表２２のダウンロード辞書名と合致するダウンロード辞書であり、かつ、ダウンロード辞書登録管理表２２のダウンロード辞書格納済みマークのエリアがマークされていない、つまり、ダウンロードにより携帯端末１に格納されていない場合の動きについて説明する。
【００６１】
選択辞書管理表２１の有効指定が「ＯＮ」になった辞書がダウンロード辞書登録管理表２２のダウンロード辞書２２に登録されていた場合、ダウンロード辞書登録管理表２２のダウンロード辞書格納済みマークが「マーク」になっているか確認する（図８のステップＳ５０１，Ｓ５０２）。
【００６２】
ステップＳ６０２において、「マーク」に設定されていない場合、プロセッサ１１は、画像表示部１８に選択された辞書のダウンロードの有無を問い合わせる画面（例えば、「ＸＸＸ辞書をダウンロードしますか」）を表示することで、ユーザに問い合わせをする（ステップＳ５０３）。
【００６３】
ユーザが「ダウンロードしない」を指定した場合、プロセッサ１１は、選択辞書管理表２１の有効指定のエリアを「ＯＮ」から「ＯＦＦ」（またはクリア）にし、ステップＳ４０７へリターンする（ステップＳ５０４）。
【００６４】
ユーザが「ダウンロードする」を指定した場合、プロセッサ１１は、ダウンロード辞書登録管理表２２のダウンロード辞書格納済みマークのエリアを検索し、「マーク」に設定されていればダウンロードされている辞書としてダウンロード辞書数をカウントしそのカウントした数を「ｎｕｍ」としてプロセッサ１１内のあるワークレジスタにセットする（ステップＳ５０５）。
【００６５】
更にプロセッサ１１は、そのカウントしたダウンロード辞書数である「ｎｕｍ」とＭＡＸ値とを比較することによりダウンロード辞書を更に登録する余裕があるかどうかを（現在のダウンロード辞書の数がＭＡＸ値未満）確認する（ステップＳ５０６）。この場合のＭＡＸ値については、あらかじめ、プログラムに組み込まれている（ＭＡＸ値をあらかじめＲＯＭ等のメモリに格納しておき、ダウンロード辞書の数とメモリから読み出したＭＡＸ値とを比較するようにしても良い）。
【００６６】
ステップＳ５０６において、既にＭＡＸ値（登録する余裕がない）の場合には、プロセッサ１１は、ダウンロード辞書登録管理表２２のダウンロード辞書格納済みマークのエリアを検索することによりダウンロード済みの辞書名を抽出し、その抽出したダウンロード済みの辞書のどれを削除するかを問い合わせる画面を画像表示部１８に表示する（ステップＳ５０７）。
【００６７】
ユーザのキー部１６の操作により削除すべきダウンロード辞書名が選択されると、プロセッサ１１は、指定されたダウンロード辞書を選択辞書２０から削除し（ステップＳ５０８）、ダウンロード辞書登録管理表２２のダウンロード辞書格納済みマークのエリアに設定されている「マーク」を外す（ステップＳ５０９）。
【００６８】
削除が終わると、プロセッサ１１は、回線接続部１４およびネットワーク９０１を介して図示していない管理センターに接続し、宛先指定で選択された辞書のダウンロードの要求を行い、管理センターからその辞書をダウンロードし（ステップ５１０）、ダウンロード辞書登録管理表２２内でダウンロードした辞書に該当するダウンロード辞書格納済みマークのエリアに「マーク」を設定し、ステップＳ４０８にリターンする（ステップＳ５１１）。
【００６９】
ステップＳ５０６において、ＭＡＸ値未満（登録する余裕がある）の場合には、ステップＳ５１０に進む。すなわち、プロセッサ１１は、回線接続部１４およびネットワーク９０１を介して図示していない管理センターに接続し、宛先指定で選択された辞書のダウンロードの要求を行い、管理センターからその辞書をダウンロードし（ステップ５１０）、ダウンロード辞書登録管理表２２内でダウンロードした辞書に該当するダウンロード辞書格納済みマークのエリアに「マーク」を設定し、ステップＳ４０８にリターンする（ステップＳ５１１）。
【００７０】
なお図７のステップＳ４０８以降の説明は、第１の実施の形態で説明した図４のステップＳ４０８以降の説明と同じなので説明を省略する。
【００７１】
以上により、携帯端末１において、選択辞書を格納している記憶部の容量が少なくて格納できなかったとしても、プロセッサ１１は、ダウンロードされていなかった辞書を必要に応じてダウンロードして選択辞書２１として有効にすることができる。
【００７２】
なお、上記の第１および第２の実施の形態において、辞書選択プログラムを携帯端末１で使用するようにしたが、携帯端末１に該当するコンピュータ（パソコン等）にインストール、ダウンロード等の機能を用いて使用しても良い。
【００７３】
以上の第１および第２の実施の形態で説明したように、本発明は、事前にアドレス帳の電子メールアドレス欄に併記してその宛先の際に使用する選択辞書を登録しておくことにより、電子メール作成において宛先をアドレス帳から指定するだけで、それに連携して自動的に辞書を切り換えることできる。
【図面の簡単な説明】
【００７４】
【図１】本発明の第１の実施の形態における携帯端末の構成を示すブロック図である。
【図２】図１または図５の選択辞書管理表内の構成の概略を示す構成概略図である。
【図３】図１または図５のアドレス帳内の構成の概略を示す構成概略図である。
【図４】図１のプロセッサが電子メール作成時における宛先指定処理（辞書選択プログラム）を実行した場合の動作を示すフローチャートである。
【図５】本発明の第２の実施の形態における携帯端末の構成を示すブロック図である。
【図６】図５のダウンロード辞書登録管理表内の構成概略を示す構成概略図である。
【図７】図５のプロセッサが電子メール作成時における宛先指定処理（辞書選択プログラム）を実行した場合の動作を示すフローチャートである。
【図８】図５のプロセッサが図７内のダウンロード取得処理ルーチンを実行した場合の動作、すなわちダウンロードする辞書を選択辞書として格納する動作を示すフローチャートである。
【符号の説明】
【００７５】
１    携帯端末
１１    プロセッサ
１２    プログラム格納部
１３    アドレス帳
１４    回線接続部
１５    キーイベント処理部
１６    キー部
１７    画像表示回路
１８    画像表示部
１９    基本辞書
２０    選択辞書
２１    選択辞書管理表
２２    ダウンロード辞書登録管理表
９０１    ネットワーク
【図１】
2005107565.tif 000003
【図２】
2005107565.tif 000004
【図３】
2005107565.tif 000005
【図４】
2005107565.tif 000006
【図５】
2005107565.tif 000007
【図６】
2005107565.tif 000008
【図７】
2005107565.tif 000009
【図８】
2005107565.tif 000010